(57)【特許請求の範囲】
【請求項１】
任意の光学結像倍率を持つ可変倍率レンズ又は固定倍率レンズから成るレンズ系と小型ＣＣＤカメラ及び照明系を一体化した超小型近接撮影装置及び前記レンズ系の最先端レンズと被写体間のレンズ系光軸上に光軸反射面を配置し、前記光軸反射面と対向する側方の位置に周回反射面を配置し、更に前記光軸反射面と周回反射面を前記レンズ系光軸を中心として前記超小型近接撮影装置に取り付けられた回転機構により一緒に回転する立体観察装置を組み合わせて成るＣＣＤカメラを用いた周面立体観察装置において、前記立体観察装置の取付フレームを小型近接撮影装置の鏡筒より大径に形成すると共に、この大径に形成した取付フレームを小型近接撮影装置の鏡筒に外装し、取付フレームにその中心方向に向けて調整ねじを９０°間隔で取り付け、この調整ねじの締め込みで小型近接撮影装置の鏡筒外周面と取付フレーム間を取付フレームの半径方向において間隔調整自在に構成してレンズ系光軸に対する回転機構側の回転リングの回転軸を微調整自在に構成すると共に、前記取付フレームに回転自在に取り付けられた回転リングに対して周回反射ミラーを調整ノブにより角度調整自在に取り付けて成る超小型近接撮影装置を用いた周面立体観察装置。
【発明の詳細な説明】
【０００１】
【発明の属する技術分野】
本発明は、超小型近接撮影装置を用いてＩＣ等のような被写体を、その周囲から立体観察するための装置に関する。
【０００２】
【従来の技術とその問題点】
超小型近接撮影装置を用いてＩＣ等のような被写体を、その周囲から立体観察する装置として、本発明者は特開平５−２５６７８５号公報に掲載のＩＣ観察装置を提案している。
【０００３】
このＩＣ観察装置は、超小型近接撮影装置に対して回転自在に取り付けられた回転リングと、この回転リングと一緒に回転し、且つ光軸に置かれた光軸反射ミラーと、この光軸反射ミラーに対してＩＣを斜め上方から反射して、この反射像を前記光軸反射ミラーに向けて投写することができ、前記回転リングにより光軸反射ミラーと一緒にＩＣの周囲を回転する周回転ミラーと、超小型近接撮影装置側の照明用リングレンズの前面に位置し、照明用光路を補正する照明光路補正用リングレンズと、から成るものであるが、次のような問題がある。
【０００４】
上記ＩＣ観察装置の場合、像面倍率が０．５〜２．５倍位の所謂低倍率では、実用上問題とならないが、像面倍率が約２．５倍以上で、モニター上での倍率が約１００倍以上の場合、レンズ系の作動距離を実際の作動距離の約２倍とらなくてはならいことから、このように長い作動距離で倍率を高くとるようにすると、加工及び組み立て精度との関係で、作動誤差が拡大されてしまい、周回反射面を経由する光路から被写体の観察ポイントが外れて観察ができなくなったり、立体映像とならなくなったりするという問題がある。例えば、像面倍率を約５倍にとると、視野が約１ｍｍ程度になる。この時、仮にレンズ系の作動距離を２０ｍｍとすると、この約倍のレンズ系の作動距離が必要になる。これを度数に直すと約１．４度となる。
【０００５】
この約１．４度の範囲で周回反射面を回転させながら、３６０°方向から被写体を立体観察をするためには、視野の約５％の範囲までの誤差は許容されるが、しかし、１ｍｍの約５％は約５０μとなるため、超小型近接撮影装置の先端に立体観察装置を取り付けた場合、先端のレンズから最初に光路を曲げられる光軸反射面までの距離が５ｍｍとすると、立体観察装置の回転機構の回転軸と光軸との間のズレは、約６μが許容される限度になる（問題点１）。
【０００６】
又、従来の低倍率においては、光軸反射面と周回反射面を正確に配置することにより観察ポイントをねらうことはできていたが、倍率が上がり、観察ポイント付近を常にねらう（画面の５％程度以内のズレ）ことができるように、立体観察装置を加工し、組み立て、そして立体観察装置を超小型近接撮影装置に組み付けることは、現在の加工及び組み立て並びに組み付け技術では困難である（問題点２）。
【０００７】
以上に述べた問題点１と問題点２は、現象として同じ結果を招くが、２種類の現象を分けて確認し、この現象を分けて夫々微調整を行うことができないと、高倍率において立体観察を行うことはできない。
【０００８】
【発明が解決しようとする課題】
本発明の目的は、超小型近接撮影装置を用いた周面立体観察装置において、高倍率において立体観察を行うことができるようにすることである。
【０００９】
【課題を解決するための手段】
上記目的を達成するため、請求項１に記載の発明においては、任意の光学結像倍率を持つ可変倍率レンズ又は固定倍率レンズから成るレンズ系と小型ＣＣＤカメラ及び照明系を一体化した超小型近接撮影装置及び前記レンズ系の最先端レンズと被写体間のレンズ系光軸上に光軸反射面を配置し、前記光軸反射面と対向する側方の位置に周回反射面を配置し、更に前記光軸反射面と周回反射面を前記レンズ系光軸を中心として前記超小型近接撮影装置に取り付けられた回転機構により一緒に回転する立体観察装置を組み合わせて成るＣＣＤカメラを用いた周面立体観察装置において、前記立体観察装置の取付フレームを小型近接撮影装置の鏡筒より大径に形成すると共に、この大径に形成した取付フレームを小型近接撮影装置の鏡筒に外装し、取付フレームにその中心方向に向けて調整ねじを９０°間隔で取り付け、この調整ねじの締め込みで小型近接撮影装置の鏡筒外周面と取付フレーム間を取付フレームの半径方向において間隔調整自在に構成してレンズ系光軸に対する回転機構側の回転リングの回転軸を微調整自在に構成すると共に、前記取付フレームに回転自在に取り付けられた回転リングに対して周回反射ミラーを調整ノブにより角度調整自在に取り付けて成ることを特徴とするものである。
【００１２】
上記発明において、光軸反射面及び周回反射面は反射ミラー又はプリズムにて構成できる。又、照明系は、被写体をその周囲から照明できるように、光源から光ファイバー等を経由して送られて来た光を被写体にその周囲から投射できるリング状の反射レンズを用いてもよいし、投射部を回転機構の周回反射面側に設けてこの周回反射面と一緒に回転して観察ポイントを照明できる方式等としてもよい。
【００１３】
【作用】
被写体は、レンズ系光軸の延長線上に置き、この周囲を回転機構に取り付けられた周回反射面が前記レンズ系光軸を中心として回転し、更にこの周回反射面と対向する光軸反射面が一緒に回転することにより、被写体をその周囲から、任意の観察ポイントで立体観察を行うことができる。つまり、被写体の観察ポイントの光は、周回反射面で反射して光軸反射面に入り、更にここで反射してレンズ系光路に入り、この光はレンズ系光路を経由してＣＣＤカメラに捕えられ、電子的な変換手続を経てモニター画面上に映し出される。
この映像は、被写体を、例えば４５°斜め上方から観察しているため、例えば１００倍以上に拡大された立体映像となるので、例えば、ＩＣの端子部分の観察（検査）等には最適となる。
【００１４】
このような立体観察において、請求項１に記載の本発明においては、回転機構の回転軸を微調整することができ、請求項２に記載の本発明においては、周回反射面の角度を微調整することができ、請求項３に記載の本発明においては、回転機構の回転軸と周回反射面の角度の双方を微調整することができることによって、立体観察装置の加工及び組み立て精度並びに組み付け精度上の問題（誤差）を解消することができる。
【００１５】
【実施例】
請求項１に記載の本発明の実施例を図１〜図５に基づいて詳述する。図１はレンズ系及び像の電子変換部を包含した超小型近接撮影装置とこれに組み付けた立体観察装置の正面図、図２は超小型近接撮影装置の先端に取り付けられた立体観察装置とこの回転機構部分の断面図、図３はＡ−Ａ′線断面図、図４（ａ）（ｂ）は回転軸及び周回反射面の角度調整の説明図、図５は回転軸及び周回反射面の角度調整の説明図である。
【００１６】
符号の１は超小型近接撮影装置であって、この内部には、被写体を拡大するためのレンズ群（実施例はズームレンズ）とこのレンズ群でとらえた被写体を撮影するＣＣＤカメラ１ｂと、このカメラ１ｂでとらえた映像を電子信号に変換してモニター側に送出するための電子変換回路及び光源から送られて来た光を被写体に投射するためのリングレンズを含む照明機構が組み込まれている。
【００１７】
２は前記超小型近接撮影装置１の先端に取り付けられた立体観察装置であって、この立体観察装置２は、図２、図３に示すように、超小型近接撮影装置１側に対して９０°間隔で調整ねじ４により取り付けられた取付フレーム３と、この取付フレーム３に対してボールベアリング５を介して回転自在に取り付けられた回転機構（回転リング）６と、この回転機構６に対して前記超小型近接撮影装置１のレンズ系光軸ａ内に位置するように取り付けられた光軸反射ミラー７と、前記光軸反射ミラー７と対向する半径方向に位置するようにして取り付けられた角度調整ノブ８ａにより角度調整自在の周回反射ミラー８とから成り、この回転機構６の回転軸ｂは、前記レンズ系光軸ａと同軸になるように組み付けられている。
【００１８】
図中９は被写体であって、この被写体９には照明系を経由して光源から光が照射されている。観察に際しては、超小型近接撮影装置１側において焦点を合わせたのち、立体観察装置２の回転機構６を回転させながら、被写体９の観察ポイントに周回反射ミラー８の位置を合わせる。このようにすると、観察ポイントの光は周回反射ミラー８→光軸反射ミラー７と反射し、この光軸反射ミラー７で反射した光は超小型近接撮影装置１内のＣＣＤカメラ１ｂで撮影され、この映像はモニター画面上に拡大して映し出される。
【００１９】
上記観察に際し、被写体９の観察ポイントがズレたり、映像そのものが映し出されない場合がある。これは、図４（ａ）に示すように、回転機構６の回転軸ｂがレンズ系光軸ａとズレている場合、調整ねじ４を用いて、回転機構６の回転軸ｂを、図４（ｂ）に示すように、レンズ系光軸ａ側に合わせる調整を行う。又は（及び）、図５に示すように、周回反射ミラー８の角度を調整する。この調整は、モニター映像を見ながら、周回反射ミラー８を左右又は上下等、任意の方向  に制御することにより行う。
上記のようにして微調整を行うことにより、被写体９の撮影ポイントに光軸を合わせることができる。
【００２０】
【発明の効果】
本発明によると、以上のように、立体観察装置の加工・組み立て精度及び超小型近接撮影装置に対する組み付け精度上の技術的な限界を、あとで調整（補正）することができるため、高倍率において、周回方向から任意のポイントで立体観察ができるようになる。
【図面の簡単な説明】
【図１】超小型近接撮影装置とこれに組み付けた立体観察装置の側面図。
【図２】立体観察装置の断面図。
【図３】Ａ−Ａ′線断面図。
【図４】立体観察装置の回転軸の調整例の説明図。
【図５】立体観察装置の周回反射ミラーの角度調整例の説明図。
【符号の説明】
１  超小型近接撮影装置
２  立体観察装置
３  取付フレーム
４  調整ねじ
５  ボールベアリング
６  回転機構（回転リング）
７  光軸反射ミラー
８  周回反射ミラー
８ａ  調整ノブ
９  被写体
ａ  レンズ系光軸
ｂ  回転軸
【図１】
0003884558.tif 000002
【図２】
0003884558.tif 000003
【図３】
0003884558.tif 000004
【図４】
0003884558.tif 000005
【図５】
0003884558.tif 000006